(57)【特許請求の範囲】
【請求項１】
一式のウィンドウアセンブリであって、
第１縁部に沿って第１寸法を有する第１ガラスユニットと、
前記第１ガラスユニットの前記第１縁部に隣接し、前記第１ガラスユニットの前記第１縁部に沿って延在する第１ソーラーパネルであって、第１長さを有する第１ソーラーパネルと、
前記第１ガラスユニットの縁部に沿って配置された第１フレームと、
前記第１ソーラーパネルと同じ幅を有し、前記第１ソーラーパネルと前記第１フレームとの間の空間を覆う第１トリムパネルと、を含む第１ウィンドウアセンブリと、
第２縁部に沿って第２寸法を有する第２ガラスユニットと、
前記第２ガラスユニットの前記第２縁部に隣接し、前記第２ガラスユニットの前記第２縁部に沿って延在する第２ソーラーパネルであって、第２長さを有する第２ソーラーパネルと、
前記第２ガラスユニットの縁部に沿って配置された第２フレームと、
前記第２ソーラーパネルと同じ幅を有し、前記第２ソーラーパネルと前記第２フレームとの間の空間を覆う第２トリムパネルと、を含む第２ウィンドウアセンブリと、を備える一式のウィンドウアセンブリであって、
前記第１及び第２寸法が互いに異なり、前記第１及び第２長さが同じである一式のウィンドウアセンブリ。
【請求項２】
一式のウィンドウアセンブリであって、
第１縁部に沿って第１寸法を有する第１ガラスユニットと、
前記第１ガラスユニットの前記第１縁部に隣接し、前記第１ガラスユニットの前記第１縁部に沿って延在する第１エネルギー貯蔵ユニットであって、第３長さを有する第１エネルギー貯蔵ユニットと、
前記第１ガラスユニットの縁部に沿って配置された第１フレームと、
前記第１エネルギー貯蔵ユニットと同じ幅を有し、前記第１エネルギー貯蔵ユニットと前記第１フレームとの間の空間を覆う第１トリムパネルと、を含む第１ウィンドウアセンブリと、
第２縁部に沿って第２寸法を有する第２ガラスユニットと、
前記第２ガラスユニットの前記第２縁部に隣接し、前記第２ガラスユニットの前記第２縁部に沿って延在する第２エネルギー貯蔵ユニットであって、第４長さを有する第２エネルギー貯蔵ユニットと、
前記第２ガラスユニットの縁部に沿って配置された第２フレームと、
前記第２エネルギー貯蔵ユニットと同じ幅を有し、前記第２エネルギー貯蔵ユニットと前記第２フレームとの間の空間を覆う第２トリムパネルと、を含む第２ウィンドウアセンブリと、を備える一式のウィンドウアセンブリであって、
前記第１及び第２寸法が互いに異なり、前記第３及び第４長さが同じである一式のウィンドウアセンブリ。
【請求項３】
前記第１トリムパネルは、前記第１ガラスユニットの前記第１縁部に隣接するとともに前記第１ガラスユニットの前記第１縁部に沿っており、前記第１トリムパネルが第５長さを有し、
前記第２トリムパネルは、前記第２ガラスユニットの前記第２縁部に隣接するとともに前記第２ガラスユニットの前記第２縁部に沿っており、前記第２トリムパネルが第６長さを有する、請求項１または２に記載の一式のウィンドウアセンブリ。
【請求項４】
第３縁部に沿って第３寸法を有する第３ガラスユニットを含む第３ウィンドウアセンブリをさらに備え、前記第３ウィンドウアセンブリがさらに、
前記第３ガラスユニットの前記第３縁部に隣接し、及び前記第３ガラスユニットの前記第３縁部に沿った第３ソーラーパネルであって、第７長さを有する第３ソーラーパネルと、
前記第３ガラスユニットの前記第３縁部に隣接し、及び前記第３ガラスユニットの前記第３縁部に沿った第３エネルギー貯蔵ユニットであって、第８長さを有する第３エネルギー貯蔵ユニットと、
前記第３ガラスユニットの前記第３縁部に隣接し、及び前記第３ガラスユニットの前記第３縁部に沿った第３トリムパネルであって、第９長さを有する第３トリムパネルと、
第３ソーラーパネル又は第３エネルギー貯蔵ユニット、あるいはその任意の組合せに電気接続される第３制御ユニットと、を備える請求項１に記載の一式のウィンドウアセンブリ。
【請求項５】
第３縁部に沿って第３寸法を有する第３ガラスユニットを含む第３ウィンドウアセンブリをさらに備え、前記第３ウィンドウアセンブリがさらに、
前記第３ガラスユニットの前記第３縁部に隣接し、及び前記第３ガラスユニットの前記第３縁部に沿った第３ソーラーパネルであって、第７長さを有する第３ソーラーパネルと、
前記第３ガラスユニットの前記第３縁部に隣接し、及び前記第３ガラスユニットの前記第３縁部に沿った第３エネルギー貯蔵ユニットであって、第８長さを有する第３エネルギー貯蔵ユニットと、
前記第３ガラスユニットの前記第３縁部に隣接し、及び前記第３ガラスユニットの前記第３縁部に沿った第３トリムパネルであって、第９長さを有する第３トリムパネルと、
第３ソーラーパネル又は第３エネルギー貯蔵ユニット、あるいはその任意の組合せに電気接続される第３制御ユニットと、を備える請求項２に記載の一式のウィンドウアセンブリ。
【請求項６】
第１長さを有する第１ソーラーパネルを選択することと、
第１ガラスユニットの第１縁部に隣接する前記第１ソーラーパネルを取り付けることであって、前記第１ガラスユニットが第１縁部に沿って第１寸法を有することと、
第１フレームを前記第１ガラスユニットの縁部に沿って配置することと、
第１ウィンドウアセンブリを形成するために、前記第１ソーラーパネルと同じ幅を有する第１トリムパネルで、前記第１ソーラーパネルと前記第１フレームとの間の空間を覆うことと、
第２長さを有する第２ソーラーパネルを選択することと、
第２ガラスユニットの第２縁部に隣接する前記第２ソーラーパネルを取り付けることであって、前記第２ガラスユニットが第２縁部に沿って第２寸法を有することと、
第２フレームを前記第２ガラスユニットの縁部に沿って配置することと、
第２ウィンドウアセンブリを形成するために、前記第２ソーラーパネルと同じ幅を有する第２トリムパネルで、前記第２ソーラーパネルと前記第２フレームとの間の空間を覆うことと、を備える方法で、
前記第１及び第２寸法が互いに異なり、前記第１及び第２長さが同じである方法。
【請求項７】
第３長さを有する第１エネルギー貯蔵ユニットを選択することと、
第１ガラスユニットの第１縁部に隣接する前記第１エネルギー貯蔵ユニットを取り付けることであって、前記第１ガラスユニットが第１縁部に沿って第１寸法を有することと、
第１フレームを前記第１ガラスユニットの縁部に沿って配置することと、
第１ウィンドウアセンブリを形成するために、前記第１エネルギー貯蔵ユニットと同じ幅を有する第１トリムパネルで、前記第１エネルギー貯蔵ユニットと前記第１フレームとの間の空間を覆うことと、
第４長さを有する第２エネルギー貯蔵ユニットを選択することと、
第２ガラスユニットの第２縁部に隣接する前記第２エネルギー貯蔵ユニットを取り付けることであって、前記第２ガラスユニットが第２縁部に沿って第２寸法を有することと、
第２フレームを前記第２ガラスユニットの縁部に沿って配置することと、
第２ウィンドウアセンブリを形成するために、前記第２エネルギー貯蔵ユニットと同じ幅を有する第２トリムパネルで、前記第２エネルギー貯蔵ユニットと前記第２フレームとの間の空間を覆うことと、を備える方法で、
前記第１及び第２寸法が互いに異なり、前記第３及び第４長さが同じである方法。
【請求項８】
前記第１ガラスユニットの前記第１縁部に隣接して、第５長さを有する前記第１トリムパネルを取り付けることと、
前記第２ガラスユニットの前記第２縁部に隣接して、第６長さを有する前記第２トリムパネルを取り付けることと、をさらに備え、
前記第１トリムパネルの前記第５長さと前記第２トリムパネルの前記第６長さが互いに異なる、請求項６又は７に記載の方法。
【請求項９】
前記第１ソーラーパネルに電気接続される第１制御ユニットを取り付けることと、
前記第２ソーラーパネルに電気接続される第２制御ユニットを取り付けることと、をさらに備える、請求項６に記載の方法。
【請求項１０】
前記第１エネルギー貯蔵ユニットに電気接続される第１制御ユニットを取り付けることと、
前記第２エネルギー貯蔵ユニットに電気接続される第２制御ユニットを取り付けることと、をさらに備える、請求項７に記載の方法。
【請求項１１】
前記第１ウィンドウアセンブリの第１エネルギー定格を決定することであって、前記第１ソーラーパネルを選択することが少なくとも部分的に前記第１エネルギー定格に依存することと、
前記第２ウィンドウアセンブリの第２エネルギー定格を決定することであって、前記第２ソーラーパネルを選択することが少なくとも部分的に前記第２エネルギー定格に依存することと、又は、
前記第１ウィンドウアセンブリの前記第１エネルギー定格及び前記第２ウィンドウアセンブリの前記第２エネルギー定格を決定することであって、前記第１ソーラーパネルを選択することが少なくとも部分的に前記第１エネルギー定格に依存し、前記第２ソーラーパネルを選択することが少なくとも部分的に前記第２エネルギー定格に依存することと、をさらに備える、請求項６に記載の方法。
【請求項１２】
前記第１ウィンドウアセンブリの第１エネルギー定格を決定することであって、前記第１エネルギー貯蔵ユニットを選択することが少なくとも部分的に前記第１エネルギー定格に依存することと、
前記第２ウィンドウアセンブリの第２エネルギー定格を決定することであって、前記第２エネルギー貯蔵ユニットを選択することが少なくとも部分的に前記第２エネルギー定格に依存することと、又は、
前記第１ウィンドウアセンブリの前記第１エネルギー定格及び前記第２ウィンドウアセンブリの前記第２エネルギー定格を決定することであって、前記第１エネルギー貯蔵ユニットを選択することが少なくとも部分的に前記第１エネルギー定格に依存し、前記第２エネルギー貯蔵ユニットを選択することが少なくとも部分的に前記第２エネルギー定格に依存することと、をさらに備える、請求項７に記載の方法。
【請求項１３】
前記第１ソーラーパネルが第１幅を有し、前記第２ソーラーパネルが第２幅を有し、前記第１ソーラーパネルの前記第１幅と前記第２ソーラーパネルの前記第２幅が同じである、請求項１に記載の一式のウィンドウアセンブリ。
【請求項１４】
前記第１ソーラーパネルが第１幅を有し、前記第２ソーラーパネルが第２幅を有し、前記第１ソーラーパネルの前記第１幅と前記第２ソーラーパネルの前記第２幅が同じである、請求項６に記載の方法。
【請求項１５】
前記第１ソーラーパネルが第１幅を有し、前記第２ソーラーパネルが第２幅を有し、前記第１ソーラーパネルの前記第１幅と前記第２ソーラーパネルの前記第２幅が互いに異なる、請求項１に記載の一式のウィンドウアセンブリ。
【請求項１６】
前記第１ソーラーパネルが第１幅を有し、前記第２ソーラーパネルが第２幅を有し、前記第１ソーラーパネルの前記第１幅と前記第２ソーラーパネルの前記第２幅が互いに異なる、請求項６に記載の方法。
【請求項１７】
前記第１、第２、及び第３寸法が互いに異なり、
前記第３ソーラーパネルの前記第７長さと前記第１ソーラーパネルの前記第１長さが互いに異なる、請求項４に記載の一式のウィンドウアセンブリ。
【請求項１８】
前記第３ソーラーパネルが第３幅を有し、前記第３ソーラーパネルの前記第３幅が前記第１ソーラーパネルの第１幅、前記第２ソーラーパネルの第２幅、又は両方と同じである、請求項４に記載の一式のウィンドウアセンブリ。
【請求項１９】
前記第３エネルギー貯蔵ユニットの前記第８長さが前記第１エネルギー貯蔵ユニットの前記第３長さ、前記第２エネルギー貯蔵ユニットの前記第４長さ、又は両方と異なる、請求項５に記載の一式のウィンドウアセンブリ。
【請求項２０】
前記第１及び第２ガラスユニットのうちの少なくとも１つが電気化学システムを含む、請求項１から５のいずれか１項に記載の一式のウィンドウアセンブリ。
【請求項２１】
前記第１及び第２ガラスユニットのうちの少なくとも１つが電気化学システムを含む、請求項６から１２、１４、１６のいずれか１項に記載の方法。
【発明の詳細な説明】
【技術分野】
【０００１】
本開示は窓アセンブリとその製作方法に関する。
【背景技術】
【０００２】
窓アセンブリは、電位の印加に応答して光学特性を変化させることができるエレクトロクロミック材料を含むことができる。そのような変化により、アセンブリ内のグレージングの透明度を増減又は反射率を増減させることができる。窓アセンブリは、１つ又は複数の電気部品に結合されることができ、その関連電気部品によって取付けが複雑になり得る。製作技術の改善が求められている。
【図面の簡単な説明】
【０００３】
実施形態は、例として示したものであり、添付図面に限定されない。
【図１】図１は、長さが同じで、幅が異なる、３つの異なるガラスユニットの図を含む。
【図２】図２は、長さが異なり、幅が同じである、３つの異なるガラスユニットの図を含む。
【図３】図３は、ソーラーユニットの図を含む。
【図４】図４は、ソーラーユニットを含むソーラーモジュールの図を含む。
【図５】図５は、ソーラーモジュールを含むソーラーパネルの図を含む。
【図６】図６は、幅が異なるソーラーユニットを含むソーラーモジュールの図を含む。
【図７】図７は、長さが異なり、幅が同じである、３つの異なるエネルギー貯蔵ユニットの図を含む。
【図８】図８は、長さが同じで、幅が異なる、２つの異なるエネルギー貯蔵ユニットの図を含む。
【図９】図９は、窓アセンブリの製作及び取付け方法のプロセスフロー図を含む。
【図１０】図１０は、窓アセンブリの製作及び取付け方法のプロセスフロー図を含む。
【図１１】図１１は、縦型の窓に適用する場合の、窓アセンブリ及びフレームを含む窓の正面図を含む。
【図１２】図１２は、スカイライトに適用する場合の、窓アセンブリ及びフレームを含む窓の正面図を含む。
【０００４】
当業者は、図中の要素が簡潔かつ明確であるように描かれていること、ならびに、必ずしも一定の縮尺で描かれているわけではないことを理解するだろう。例えば、図中のいくつかの要素の寸法は、本発明の実施形態が理解しやすくなるように、他の要素に比べて誇張されている場合がある。
【０００５】
発明の詳細な説明
図と組み合わせた以下の記述は、本明細書に開示された教示の理解を支援するために提供される。以下の説明は、本教示の特定の実装及び実施形態に焦点を絞るものとする。本焦点は、本教示の記述を支援するために提供されており、本教示の範囲又は用途において制限するものとして解釈されるべきではない。
【０００６】
窓アセンブリ用部品の寸法は、他の多くの建設部材のように、実寸法ではなく、呼び寸法で指定され得る。全く同じ寸法が意図されていても、製造公差によるずれがいくらか予測される。本明細書において、同じ寸法値（例えば、長さ、幅、厚さ）を参照する場合、２つの異なる物品の寸法差を大きい方の寸法で割ったとき０．１５以下（寸法が互いの１０％以内）であれば、その２つの異なる物品は同じ寸法値を有する。ある特定の実施形態では、大きい方の寸法で割った、２つの異なる物品の寸法差が０．０５以下である（寸法は互いの５％以内）。
【０００７】
本明細書で用いるところでは、用語「含む（ｃｏｍｐｒｉｓｅｓ）」、「含む（ｃｏｍｐｒｉｓｉｎｇ）」、「含む（ｉｎｃｌｕｄｅｓ）」、「を含む（ｉｎｃｌｕｄｉｎｇ）」、「有する（ｈａｓ）」、「有する（ｈａｖｉｎｇ）」またはそれらの任意の他の変形は、非排他的な包含を網羅することが意図される。例えば、特性のリストを含むプロセス、方法、物品、もしくは装置は、それらの特性のみに必ずしも限定されず、明確にリストされないか、またはかかるプロセス、方法、物品、もしくは装置に固有である他の特性を含んでもよい。さらに、相反する記載がない限り、「または（ｏｒ）」は、包含的なまたはを意味し、排他的なまたはを意味しない。例えば、条件ＡまたはＢは、次のいずれか１つで満たされる：Ａは真であり（または存在し）かつＢは偽である（または存在しない）、Ａは偽であり（または存在せず）かつＢは真である（または存在する）、ならびにＡおよびＢの両方とも真である（または存在する）。
【０００８】
「ａ」または「ａｎ」の使用は、本明細書に記載される要素および部品を記載するために用いられる。これは、便宜上および本発明の範囲の一般的な意味を与えるために行われるにすぎない。この記載は、１つまたは少なくとも１つを包含すると読まれるべきであり、そして単数はまた、それが複数ではないことを意味することが明確でない限り複数を、又はその逆を、包含する。
【０００９】
特に明確にされない限り、本明細書に用いられるすべての技術的および科学的用語は、本発明の技術分野に属する当業者によって一般に理解されるものと同じ意味を有する。材料、方法、及び実施例は例示的であるにすぎず、限定的であることを意図されない。本明細書に記載されない程度に、特定の材料及び処理行為に関する多くの詳細が、従来のものであり、エレクトロクロミック及びダイナミックガラス技術の範囲内でテキストブック及び他のソースに見出されるであろう。
【００１０】
窓アセンブリの異なる部品は、様々なサイズを有し、部品のサイズの数も異なり得る。例えば、ガラスユニットは、Ｎ１の数の長さと、Ｎ２の数の幅を有すことができ、ソーラーパネルは、Ｎ３の数の長さと、Ｎ４の数の幅を有することができ、エネルギー貯蔵ユニットは、Ｎ５の数の長さと、Ｎ６の数の幅を有することができる、などである。Ｎ１からＮ６は、任意の有限整数となり得る。実施形態では、Ｎ１からＮ６のうちの少なくとも２つが、異なる数字となり得る。ある特定の実施形態では、Ｎ１からＮ６はそれぞれ異なる数字であり、別の実施形態では、Ｎ１からＮ６のうちの少なくとも２つが、同じ数字である。ガラスユニットの長さと幅の和を表す数字は、ソーラーパネル又はエネルギー貯蔵ユニットのような、電気部品の、異なるサイズの数より大きい、多くの要因となり得る。例えば、ガラスユニットは、５０以上の可能な長さと幅を反映した、多くの異なるサイズを有することができ、任意の特定の電気部品は、２０より少ない異なるサイズ数、１５より少ないサイズ数、１０より少ないサイズ数、又はより少ないサイズ数を有し得る。
【００１１】
図１から８は、ガラスユニット、ソーラーパネル、及びエネルギー貯蔵ユニットの変形形態のいくつかを図示している。図１及び２は、６つの異なるガラスユニットの図を含む。ガラスユニット１２、１４、及び１６は長さが同じであるが幅が異なり、ガラスユニット２２、２４、及び２６は、長さは異なるが幅は同じである。図３は、ソーラーパネル用の単一のソーラーユニット３２を示す。ある実施形態では、ソーラーパネルはソーラーユニットを１つのみ含み、別の実施形態では、ソーラーパネルは４つのソーラーユニット３２を有する単一のソーラーモジュール４４となり得る。さらなる実施形態では、ソーラーパネル５２は２つのソーラーモジュール４４を含むことができ、ソーラーモジュール４４はそれぞれ４つのソーラーユニット３２を有する。図３から５を参照すると、ソーラーユニット３２は、幅が同じとなり得、ソーラーパネルのエネルギー定格はソーラーパネルの長さ（ソーラーユニットの数）によって決定され得る。図６に図示されるように、さらに別の実施形態では、ソーラーモジュール４４及びソーラーユニット３２を含むソーラーパネルは、ソーラーモジュール６４及びソーラーユニット６２を含む別のソーラーパネルとは異なる幅を有してもよい。エネルギー貯蔵ユニットは、バッテリー、キャパシタ、電荷を保持可能な別の好適装置、又はその任意の組合せになり得る。図７及び８は、５つの異なるバッテリーの図を含み、それらはある特定のタイプのエネルギー貯蔵ユニットである。バッテリー７２、７４、７６は、長さは異なるが幅は同じであり、バッテリー７２及び８２は、長さは同じであるが幅は異なる。バッテリーは、端部から見たとき円形を有していてもよく、したがって、直径はある特定のタイプの幅となる。本明細書を読んだ後、図示されたガラスユニット、ソーラーパネル、及びバッテリーは、使用され得る窓アセンブリの部品の多くの異なるサイズの単なる代表であることを当業者は理解するだろう。
【００１２】
部品サイズの数を制限することは、間違ったサイズの部品を選択する可能性を低減し、製造を簡素化する一助となり得る。さらに、各窓アセンブリに対して部品をカスタムメイドにする必要がない。図９及び１０は、一式の窓アセンブリを製作し、取付ける際に使用され得る例示的方法のプロセスフロー図を含む。その方法は、異なる部品の変数の数が異なる場合に非常に適している。
【００１３】
方法は、図９のブロック９０２で、ガラスユニットのサイズを決定するステップを含む。サイズは、窓の設計サイズ又は既存窓の実際のサイズに依存することになる。ガラスユニットは、様々なサイズになり得る。ある特定の実施形態では、長さが少なくとも１１ｃｍ、少なくとも１５ｃｍ、少なくとも２０ｃｍ、又は少なくとも２５ｃｍとすることができ、別の実施形態では、長さが２００ｃｍ以下、１８０ｃｍ以下、１６０ｃｍ以下、又は１４０ｃｍ以下であってもよい。ある特定の実施形態では、長さが１１ｃｍから２００ｃｍ、１５ｃｍから１８０ｃｍ、２０ｃｍから１６０ｃｍ、又は２５ｃｍから１４０ｃｍの範囲内にある。幅は、長さについて前に挙げた値の内の何れでもよく、幅は長さと同じでも、異なってもよい。別の実施形態では、長さ又は幅が、挙げた値より小さい、又は大きい値を有してもよい。長さ及び幅の、異なる値の数は、少なくとも５０、８０、又は１１０、のように大きくてもよい。異なる値の数は、９００以下、８００以下、又は７００以下であってもよい。他の実施形態では、異なる値の数は、開示された値の数よりも小さくても、又は大きくてもよく、あるいは、記載された数のいずれかの間の値を有してもよい。
【００１４】
方法はさらに、ブロック９０４で、ガラスパネルのどの縁部が、その縁部に近くなるであろう電気部品と隣接することになるかを決定するステップを含むことができる。電気部品の位置は、窓アセンブリが取り付けられることになる建物のどの部分であるかに依存し得る。垂直配向の窓（ガラスユニットの主要面が地面高に対して垂直となる）の場合は、電気部品を、最低高さとなる縁部に沿って取り付けることができる。したがって、縁部はガラスユニットの底部に沿うことになる。スカイライト（ガラスユニットの主要面が地面高に対して垂直ではない）の場合は、窓からより容易に水を排水できるよう、より高いところからより低いところへ伸びることになる縁部に沿って、電気部品が取り付けられ得る。したがって、縁部はガラスユニットの側面に沿うことになる。縁部は、その縁部に沿った可視距離を表す、対応する寸法を有することになる。例えば、ガラスユニットは、６０ｃｍ延在する縁部を有し、さらに、その６０ｃｍの縁部のうち、その距離の各端部の１ｃｍがフレームで被覆されることになる。ガラスユニットの関連寸法は５８ｃｍ（６０ｃｍ（縁部の長さ）マイナス２×１ｃｍ（各縁部の１ｃｍはフレームで被覆されることになる。）である。窓アセンブリ及びフレームに関する電気部品の特定の位置は、米国第２０１２／０１９４８９５号に図示及び記載されており、その内容全体が参考として本明細書に組み込まれている。
【００１５】
方法はさらに、ブロック９０６で、窓アセンブリのエネルギー定格を決定するステップを含むことができる。エネルギー定格は、エネルギー消費率、リチャージ率、リチャージ容量、エネルギーリーク率、窓アセンブリに関する別の好適なエネルギーパラメーター、又はそれらの任意の組合せになり得る。
【００１６】
ある実施形態では、エネルギー定格は少なくとも部分的に、エネルギー消費に依存し得る。ある実施形態では、ガラスユニットは断熱ガラスユニット（ＩＧＵ）になり得る。ガラスユニットは、互いに離間したグレージングを含むことができる。グレージングはそれぞれ、ソーダライムガラス、ホウケイ酸ガラス、フロートガラス等のガラスを含むことができ、又はサファイヤ、スピネル、酸化アルミニウム（ＡＩＯＮ）等の別の透明の素材を含むことができる。各グレージングは、透明材料又はラミネートの単一シートであり得る。エレクトロクロミック（ＥＣ）装置は、グレージングのうちの１つの表面上又は対向基板に取り付けられた基板上に配置することができ、それはグレージングのうちの一つであってもよい。ある実施形態では、ＥＣ装置はＩＧＵのグレージングの間にある。ＥＣ装置は、電位の変化に応答して光学特性を変化させることができる。そのような変化により、ＩＧＵの透明度を増減又は反射率を増減させることができる。ＥＣ装置は、対向電極層、エレクトロクロミック層、及び対向電極層とエレクトロクロミックを離間させるイオン電導層を含むことができる。ＥＣ装置はさらに、対向電極層及びエレクトロクロミック層に実質的に平行であり、その対向電極層及びエレクトロクロミック層に電気接続された２つの透明導電層を含むことができる。
【００１７】
対向電極層、エレクトロクロミック材料層、イオン電導層、及び導体層の例示的材料は、米国特許出願公開第２００８／０１６９１８５号に記載され、その内容全体が参考として本明細書に組み込まれている。そのような材料は、実質的に透明な酸化物又は窒化物となり得る。それぞれの導体層を低圧電源に接続するといったことによって、電位をＥＣ装置の積層構造全体に印加すると、対向電極層のＬｉ＋イオンのようなイオンが対向電極層からイオン電導体層を通りエレクトロクロミック層へ流れる。さらに、対向電極層及びエレクトロクロミック層の中性を維持できるよう、電子が対向電極層から外部回路を通りエレクトロクロミック層へ流れる。イオン及び電子がエレクトロクロミック層へ移動することにより、エレクトロクロミック層、及び任意で補助ＥＣ装置の対向電極層、の光学特性を変化させる。ある特定の実施形態では、ＥＣ装置はＥＣ装置の色、透明度、又は色と透明度の両方を変化させる。
【００１８】
ガラスユニットのエネルギー消費率は、特定の電気化学システム構成に依存することができ、その特定の電気化学システム構成には、材料、構造、及び電気化学システムが占める面積を含むことができる。材料及び構造が同じである場合、異なるガラスユニットは、少なくとも１次に対しては、電気化学システムの面積に比例するエネルギー消費率を有することになる。エネルギー消費率は、日照時間、夜間時間（雲の状態に関わらず太陽光がない）、曇り日数、雲りレベル（薄くて高度にあるすじ雲、厚い積乱雲、等）に基づき得る。したがって、エネルギー消費率を決定するためのデータが、数分から１年又は数年まで、ほぼ任意の期間にわたってレビューされ得る。エネルギー消費率は、時間毎の最も期待されるエネルギー消費率、９０パーセンタイル値、日照時間中の平均値、様々な条件に対する平均、等に基づき得る。エネルギー消費率は、安全性や劣化要因を考慮して、一定量、例えば１０％、増加させてもよい。当業者は、その他の技術がエネルギー消費率を決定するのに使用され得ることを理解するだろう。
【００１９】
別の実施形態では、エネルギー定格は、少なくとも部分的に、リチャージ率、リチャージ容量、又はリーク率に依存し得る。窓アセンブリは、バッテリー又はキャパシタのような、エネルギー貯蔵ユニットを含むことができる。バッテリーは、リチャージされ得る制限率を有してもよい。したがって、リチャージ率は、どれだけ素早くバッテリーを安全にリチャージし得るか、について制限され得る。エネルギー貯蔵ユニットはまた、リチャージ容量を有することができ、そのリチャージ容量は、完全にチャージされた状態と消耗した状態との差異となり得、その消耗した状態は、下回った状態で窓アセンブリに関連するバッテリー又はその他の電気部品が動作されるべきではない最低電圧又は電流によって表示されることができる。多くの電気回路及びエネルギー貯蔵装置は、部品の電源が切られた状態であるときでも、リーク電流を有し得る。長時間電源が切られた状態であるとき、リーク電流によるエネルギー損失はかなりの量になり得る。リチャージ率、リチャージ容量、リーク率、又はそれらの任意の組み合わせは、安全性や劣化要因を考慮して、一定量、例えば１０％、増加させてもよい。当業者は、その他の技術がエネルギー消費率を決定するのに使用され得ることを理解するだろう。
【００２０】
方法は、ブロック９２２で、少なくとも部分的にエネルギー定格に基づいて電気部品を選択するステップを含むことができる。その選択はまた、窓アセンブリの電気部品用に設計された動作電圧に依存してもよい。電気部品は、１．２Ｖ、３．３Ｖ、５Ｖ、１２Ｖ、等で動作するよう設計され得る。ソーラーパネルについては、ＥＣ装置のエネルギー消費率、エネルギー貯蔵ユニットのリチャージ率、又は両方が、エネルギー定格を決定するのに使用され得る。ある特定の実施形態では、窓アセンブリの関連エネルギー定格は、５．９Ｗとなり得る。各ソーラーユニットが１．１Ｗを提供することができれば、ソーラーユニットの数は次に一番大きい整数に切り上げられるため、６つのソーラーユニットが使用されるだろう。各ソーラーユニットが長さ１４ｃｍ、幅５ｃｍであれば、ソーラーパネルは長さ８５ｃｍ、幅５ｃｍとなり得る。別の実施形態では、関連エネルギー定格は８．６Ｗであり、８つのソーラーユニットが使用されるだろう。したがって、ソーラーパネルは長さ１１２ｃｍ、幅５ｃｍとなり得る。さらなる実施形態では、関連エネルギー定格は４．３Ｗであり、８つのソーラーユニットが使用されるだろう。したがって、ソーラーパネルは長さ５６ｃｍ、幅５ｃｍとなり得る。別の実施形態では、ソーラーパネルは１つより上の幅を有してもよい。エネルギー貯蔵ユニットについては、リチャージ率、リチャージ容量、リーク率、ＥＣ装置又は別の電気部品の動作が、エネルギー貯蔵ユニットの選択及び寸法に影響し得る。エネルギー貯蔵ユニットの選択についての検討は、ソーラーパネルに関する前述の検討に類似する。
【００２１】
方法はさらに、図１０のブロック１０２４で、トリムパネルのサイズを決定するステップを含むことができる。トリムパネルは、窓アセンブリに関連する電気部品の外観の一助となり得る。したがって、トリムパネルは任意であり、全ての実施形態に要求されるわけではない。取付けアセンブリは、ソーラーパネル、エネルギー貯蔵ユニット、制御ユニット、又はその任意の組合せといった、１つ又は複数の電気部品を含むことができる。ソーラーパネルは、周辺光を受光するよう露出した表面を有することになる。トリムパネルは、その他の電気部品及び取付けハードウェアを被覆することができる。トリムパネルの数とサイズは、ソーラーパネルの長さと、フレームまでの残りの距離に依存し得る。ある実施形態では、図１１に図示されているように、窓１１０は、フレーム１１４内に取付けられた窓アセンブリ１１２を含む。窓アセンブリ１１２は、ガラスユニット１１２２、ソーラーパネル１１２４、及びトリムパネル１１２６を含む。ソーラーパネル１１２４は、フレーム１１４の底縁部に沿って中心に置かれている。トリムパネル１１２６は、ソーラーパネル１１２４とフレーム１１４の側縁部との間の横方向の空間を被覆する。このある特定の実施形態では、トリムパネルが、ソーラーパネル１１２４の幅と同じである１つの寸法を有することになる。各トリムパネルのその他の寸法は、フレームの低縁部の内側境界の長さからソーラーパネル１１２４の長さを引いた差の半分になることになり、下記の等式で表される。
【００２２】
Ｌｔｐ＝１／２＊（Ｌｉｂｂｅ−Ｌｓｐ）
ここで、
Ｌｔｐは、各トリムパネルの長さである。
Ｌｉｂｂｅは、フレームの底縁部に沿った内側境界の長さである。
Ｌｓｐは、ソーラーパネルの長さである。
【００２３】
別の実施形態（図示なし）では、端部キャップが、フレームの間のトリムパネルの端部を被覆することができる。この実施形態では、トリムパネルは、前の等式で提供された長さよりも短くなるであろう。トリムパネルは、上記の等式におけるＬｔｐより０．１ｃｍから２ｃｍ短くてもよい。トリムパネルの長さをより短くすることで、温度が変化するにつれて伸縮するのに有用なギャップを提供し得る。端部キャップは、ギャップに使用するスペースを占めるので、窓を見てもギャップはそれほど容易には目に見えない。
【００２４】
ある実施形態では、図１２に図示されているように、窓１２０はスカイライトとなり得、フレーム１２４内に取付けられる窓アセンブリ１２２を含み得る。窓アセンブリ１２２は、ガラスユニット１２２２、ソーラーパネル１２２４、及びトリムパネル１２２６を含む。ソーラーパネル１２２４は、フレーム１２４の側縁部に沿って中央に置かれている。トリムパネル１２２６は、ソーラーパネル１２２４と、フレーム１２４の上縁及び底縁の間との横方向のスペースを被覆する。このある特定の実施形態では、トリムパネル１２２４は、トリムパネル１１２４に関して前述した寸法のいずれにもなるだろう。ソーラーパネル及びトリムパネルを側部に沿って配置することは、水の排水をより簡単にする一助になり得る。
【００２５】
方法はさらに、ブロック１０２６で、トリムパネルサイズに合わせて、トリムパネルを選択するか又はトリムパネルを切断するステップを含むことができる。様々なサイズのトリムパネルを予め作り、前述の検討に基づいてトリムパネルのサイズを選択することができる。別の実施形態では、トリムパネルは材料の在庫片から切断され得る。ある特定の実施形態では、トリムパネルは成形又は押出加工された材料を含むことができる。トリムパネルは、銅、アルミニウム、ニッケル、真鍮、青銅等のような金属又は金属合金を含むことができ、又、ポリビニル化合物、ポリウレタン、ポリオレフィン等のようなポリマーを含んでもよい。そのようなポリマーは、屋外の状況に長時間露出されるのに耐え得る材料を達成できるよう、添加物を含んでもよく、又はコーティングされてもよい。ある特定の実施形態では、トリムパネルは、ソーラーパネルの色により厳密に一致する、黒アルマイト加工されたアルミニウムを含むことができる。黒アルマイト加工されたアルミニウムは、在庫からの押出加工片の形態でもよく、そのトリムパネルは、その片から容易に切断され得る。
【００２６】
方法は、ガラスユニットの縁部に隣接する電気部品及びトリムパネルを取り付けるステップを含む。電気部品は、ソーラーパネル、エネルギー貯蔵ユニット、制御ユニット等のうちのいずれか１つ又は複数を含むことができる。取付け中に、電気接続を行うことができる。例えば、制御ユニットを、ガラスユニット内のＥＣ装置、ソーラーパネル、エネルギー貯蔵ユニット、建物の環境制御システム、又はその任意の組合せのうちの１つ又は複数に結合することができる。環境制御システムは、暖房、換気、及び空調（ＨＶＡＣ）システム、屋内照明システム、別の好適な制御システム、又はその任意の組合せを含むことができる。ある特定の実施形態では、外光条件は、ソーラーパネルの電流、光センサからの信号、屋内外の温度差、等に応じて、制御ユニットによって決定され得る。制御ユニットは、ＥＣ装置の電位を調整し、光又は太陽熱のゲイン係数の伝送に影響し得る。別の特定の実施形態では、制御ユニットは、エネルギー貯蔵ユニットの充電及び充電解除を制御するのに使用され得る。さらなる実施形態では、制御ユニットは、環境制御システム又は別のソースからステータス情報を受け取り、それに従ってＥＣ装置を制御し得る。例えば、制御ユニットは、晴れた暑い日と比べて晴れた寒い日に、より高い伝送、より高い太陽熱ゲイン係数、又はその両方を可能にし得る。この特定の例では、建物の屋内外の温度差が使用され得る。別の用途では、制御ユニットは、必要又は要求に応じて、その他の機能を提供することができる。本明細書を読んだ後、制御ユニットは、必要又は要求に応じて、特定の用途に仕立てた機能を有することができることを当業者は理解するだろう。したがって、記載された機能は単に説明用であり、添付の請求項の範囲を限定するものではない。
【００２７】
電気部品及びトリムパネルは、ガラスユニット又はフレーム上へ取付けられ得る。ガラスユニット上に取付けるときは、取付けブラケット（図示なし）がガラスユニットに固定され得、電気部品及びトリムパネルを含む取付けアセンブリが取付けブラケットへ取付けられ得る。取付けアセンブリは、ガラスユニットがフレーム内に取り付けられる前又は後に取り付けられ得る。フレーム上に取付けるときは、ソーラーパネルのような電気部品はフレームに固定され得る。トリムパネルは使用されてもされなくてもよい。フレームがソーラーパネルの露出面とは異なる色である場合、例えば、フレームがアルミニウム（アルマイト加工されていない場合は銀色）の場合、窓の水平方向の特徴が黒色となるようトリムパネルが使用され得、垂直配向のフレーム部材は被覆されず、アールデコスタイルにより調和する。本明細書を読んだ後、当業者は、特定の用途への必要性又は要求を満たす設計を構成できるであろう。
【００２８】
別の窓アセンブリを製作するべきかどうかについては、ダイアモンド１０６２で決定され得る。製作する場合、方法は、図９のブロック９０２で開始するステップを継続する。そうでない場合は、方法は完了となる。
【００２９】
本明細書に記載される実施形態は、従来のシステム及び技術を上回る利点を有する。特定の寸法に対する電気部品の単一サイズは、窓の製作者、組立者、建物の所有者にとって、最も費用効果の高い解決法ではないかもしれない。例えば、電気部品は、寸法に沿って嵌り得るよう最も大きくなるだろう。この問題を解決するための別の試みでは、各窓アセンブリは、窓サイズ及びエネルギー定格のすべての組合せに対してカスタム設計を有することができる。
【００３０】
本明細書の概念にしたがって、限られた数の電気部品の異なるサイズが使用され得、窓アセンブリには様々に異なる寸法が使用され得る。例えば、３つの異なる窓アセンブリは、異なる寸法を有することができ、２つの窓アセンブリは、同一サイズの、ソーラーパネル又はエネルギー貯蔵ユニットのような電気部品を有することができ、３つ目の窓アセンブリは、異なるサイズの電気部品を有することができる。必要とされる又は要求される場合、トリムパネルは、前述の通り、選択又は切断するのに使用され得る。
【００３１】
単一サイズ又はカスタム設計とは違い、電気部品を有限群から選択することができるため、カスタム設計の複雑さ及び費用を追加することなく、電気部品は特定の窓のサイズのエネルギー定格により合致する。したがって、ソーラーパネル又はエネルギー貯蔵ユニットの、有限数又はそれより少ない数のサイズが、特定の窓のサイズ及びエネルギー定格に最も合致する、電気部品の特定のサイズを選択するのに使用され得る。
【発明を実施するための形態】
【００３２】
多くの異なる態様及び実施形態が可能である。これらの態様及び実施形態のいくつかは本明細書において記載されている。本明細書を読んだ後、これらの態様及び実施形態は単に説明用であり、本発明の範囲を限定するものではないことを当業者は認識するであろう。実施形態は、以下に挙げる実施形態のいずれか１つ又は複数に従ってもよい。
【実施例】
【００３３】
実施形態１
一式の窓アセンブリであって、
第１縁部に沿って第１寸法を有する第１ガラスユニットと、
第１ガラスユニットの第１縁部に隣接し、第１ガラスユニットの第１縁部に沿って延在する第１ソーラーパネルで、第１長さを有する第１ソーラーパネルと、を含む第１窓アセンブリと、
第２縁部に沿って第２寸法を有する第２ガラスユニットと、
第２ガラスユニットの第２縁部に隣接し、第２ガラスユニットの第２縁部に沿って延在する第２ソーラーパネルで、 第２長さを有する第２ソーラーパネルと、を含む第２窓アセンブリと、を備える一式の窓アセンブリで、
第１及び第２寸法が互いに異なり、第１及び第２長さが同じである一式の窓アセンブリ。
【００３４】
実施形態２
一式の窓アセンブリであって、
第１縁部に沿って第１寸法を有する第１ガラスユニットと、
第１ガラスユニットの第１縁部に隣接し、第１ガラスユニットの第１縁部に沿って延在する第１エネルギー貯蔵ユニットで、第１長さを有する第１エネルギー貯蔵ユニットと、を含む第１窓アセンブリと、
第２縁部に沿って第２寸法を有する第２ガラスユニットと、第２ガラスユニットの第２縁部に隣接し、第２ガラスユニットの第２縁部に沿って延在する第２エネルギー貯蔵ユニットで、第２長さを有する第２エネルギー貯蔵ユニットとを含む第２窓アセンブリと、を備える一式の窓アセンブリで、
第１及び第２寸法が互いに異なり、第１及び第２長さが同じである一式の窓アセンブリ。
【００３５】
実施形態３
実施形態２の一式の窓アセンブリであって、
第１窓アセンブリがさらに、
第１ガラスユニットの第１縁部に隣接し、第１ガラスユニットの第１縁部に沿って延在する第１ソーラーパネルであって、第１長さを有する第１ソーラーパネルを有し、
第２窓アセンブリがさらに、
第２ガラスユニットの第２縁部に隣接し、第２ガラスユニットの第２縁部に沿って延在する第２ソーラーパネルであって、第２長さを有する第２ソーラーパネルを有し、
第１ソーラーパネルの第１長さと第２ソーラーパネルの第２長さが同じである、一式の窓アセンブリ。
【００３６】
実施形態４
先行する実施形態のいずれか１つに記載の一式の窓アセンブリであって、
第１窓アセンブリがさらに第１ガラスユニットの第１縁部に隣接した、及び第１ガラスユニットの第１縁部に沿った第１トリムパネルを備え、第１トリムパネルが第１長さを有し、
第２窓アセンブリがさらに第２ガラスユニットの第２縁部に隣接した、及び第２ガラスユニットの第２縁部に沿った第２トリムパネルを備え、第２トリムパネルが第２長さを有する、一式の窓アセンブリ。
【００３７】
実施形態５
先行する実施形態のいずれか１つに記載の一式の窓アセンブリであって、
第１窓アセンブリがさらに、第１ソーラーパネル又は第１エネルギー貯蔵ユニットに電気接続される第１制御ユニットを備え、
第２窓アセンブリがさらに、第２ソーラーパネル又は第２エネルギー貯蔵ユニットに電気接続される第２制御ユニットを備える、一式の窓アセンブリ。
【００３８】
実施形態６
先行する実施形態のいずれか１つに記載の一式の窓アセンブリであって、
第３縁部に沿った第３寸法を有する第３ガラスユニットを含む第３窓アセンブリをさらに備える、一式の窓アセンブリ。
【００３９】
実施形態７
第３窓アセンブリがさらに、第３ガラスユニットの第３縁部に隣接し、及び第３ガラスユニットの第３縁部に沿った第３ソーラーパネルを備え、第３ソーラーパネルが第３長さを有する、実施形態６に記載の一式の窓アセンブリ。
【００４０】
実施形態８
第３窓アセンブリがさらに、第３ガラスユニットの第３縁部に隣接し、及び第３ガラスユニットの第３縁部に沿った第３エネルギー貯蔵ユニットをさらに備え、第３エネルギー貯蔵ユニットが第３長さを有する、実施形態６又は７に記載の一式の窓アセンブリ。
【００４１】
実施形態９
第３窓アセンブリがさらに、第３ガラスユニットの第３縁部に隣接し、及び第３ガラスユニットの第３縁部に沿った第３トリムパネルを備え、第３トリムパネルが第３長さを有する、実施形態６から８のいずれか１つに記載の一式の窓アセンブリ。
【００４２】
実施形態１０
第３窓アセンブリがさらに、第３ソーラーパネル又は第３エネルギー貯蔵ユニットに電気接続される第３制御ユニットを備える、実施形態７から９のいずれか１つに記載の一式の窓アセンブリ。
【００４３】
実施形態１１
第１長さを有する第１ソーラーパネルを選択するステップと、
第１ガラスユニットの第１縁部に隣接する第１ソーラーパネルを取り付けるステップで、第１ガラスユニットが第１縁部に沿って第１寸法を有するステップと、
第２長さを有する第２ソーラーパネルを選択するステップと、
第２ガラスユニットの第２縁部に隣接する第２ソーラーパネルを取り付けるステップで、第２ガラスユニットが第２縁部に沿って第２寸法を有するステップと、を備える方法で、
第１及び第２寸法が互いに異なり、第１及び第２長さが同じである方法。
【００４４】
実施形態１２
第１長さを有する第１エネルギー貯蔵ユニットを選択するステップと、
第１ガラスユニットの第１縁部に隣接する第１エネルギー貯蔵ユニットを取り付けるステップで、第１ガラスユニットが第１縁部に沿って第１寸法を有するステップと、
第２長さを有する第２エネルギー貯蔵ユニットを選択するステップと、
第２ガラスユニットの第２縁部に隣接する第２エネルギー貯蔵ユニットを取り付けるステップで、第２ガラスユニットが第２縁部に沿って第２寸法を有するステップと、を備える方法で、
第１及び第２寸法が互いに異なり、第１及び第２長さが同じである方法。
【００４５】
実施形態１３
第１長さを有する第１ソーラーパネルを選択するステップと、
第１ガラスユニットの第１縁部に隣接する第１ソーラーパネルを取り付けるステップと、
第２長さを有する第２ソーラーパネルを選択するステップと、
第２ガラスユニットの第２縁部に隣接する第２ソーラーパネルを取り付けるステップと、をさらに備える方法で、
第１ソーラーパネルの第１長さと第２ソーラーパネルの第２長さが同じである、実施形態１２に記載の方法。
【００４６】
実施形態１４
第１長さを有する第１トリムパネルを選択するステップと、
第１ガラスユニットの第１縁部に隣接する第１トリムパネルを取り付けるステップと、
第２長さを有する第２トリムパネルを選択するステップと、
第２ガラスユニットの第２縁部に隣接する第２トリムパネルを取り付けるステップと、をさらに備える実施形態１１から１３のいずれか１つに記載の方法であって、
第１トリムパネルの第１長さと第２トリムパネルの第２長さが互いに異なる実施形態１１から１３のいずれか１つに記載の方法。
【００４７】
実施形態１５
実施形態１１から１４のいずれか１つに記載の方法であって、
第１ソーラーパネル、第１エネルギー貯蔵ユニット、あるいは両方に電気接続される第１制御ユニットを取り付けるステップと、
第２ソーラーパネル、第２エネルギー貯蔵ユニット、あるいは両方に電気接続される第２制御ユニットを取り付けるステップと、をさらに備える方法。
【００４８】
実施形態１６
実施形態１１から１５のいずれか１つに記載の方法であって、
第１窓アセンブリの第１エネルギー定格を決定するステップで、第１ソーラーパネル又は第１エネルギー貯蔵ユニットを選択するステップが少なくとも部分的に第１エネルギー定格に依存するステップと、
第２窓アセンブリの第２エネルギー定格を決定するステップで、第２ソーラーパネル又は第２エネルギー貯蔵ユニットを選択するステップが少なくとも部分的に第２エネルギー定格に依存するステップと、又は、
第１窓アセンブリの第１エネルギー定格及び第２窓アセンブリの第２エネルギー定格を決定するステップで、第１ソーラーパネル又は第１エネルギー貯蔵ユニットを選択するステップが少なくとも部分的に第１エネルギー定格に依存し、第２ソーラーパネル又は第２エネルギー貯蔵ユニットを選択するステップが少なくとも部分的に第２エネルギー定格に依存するステップと、をさらに備える方法。
【００４９】
実施形態１７
実施形態１１から１６のいずれか１つに記載の方法であって、
第３長さを有する第３ソーラーパネルを選択するステップと、
第３ガラスユニットの第３縁部に隣接する第３ソーラーパネルを取り付けるステップで、第３ガラスユニットが第３縁部に沿って第３寸法を有するステップと、をさらに備え、
第１、第２、及び第３寸法が互いに異なり、第３ソーラーパネルの第３長さと第１ソーラーパネルの第１長さが互いに異なる方法。
【００５０】
実施形態１８
実施形態１１から１７のいずれか１つに記載の方法であって、
第３長さを有する第３エネルギー貯蔵ユニットを選択するステップと、
第３ガラスユニットの第３縁部に隣接する第３エネルギー貯蔵ユニットを取り付けるステップで、第３ガラスユニットが第３縁部に沿って第３寸法を有するステップと、をさらに備え、
第１、第２、及び第３寸法が互いに異なり、第３エネルギー貯蔵ユニットの第３長さと第１エネルギー貯蔵ユニットの第１長さが互いに異なる方法。
【００５１】
実施形態１９
実施形態１７又は１８に記載の方法であって、  
第３長さを有する第３トリムパネルを選択するステップと、
第３ガラスユニットの第３縁部に隣接する第３トリムパネルを取り付けるステップと、をさらに備える方法。
【００５２】
実施形態２０
実施形態１７から１９のいずれか１つに記載の方法であって、
第３ソーラーパネル、第３エネルギー貯蔵ユニット、あるいは両方に電気接続される第３制御ユニットを取り付けるステップと、をさらに備える方法。
【００５３】
実施形態２１
実施形態１７から２０のいずれか１つに記載の方法であって、
第３ガラスユニットの第３エネルギー定格を決定するステップで、第３ソーラーパネル又は第３エネルギー貯蔵ユニットを選択するステップが少なくとも部分的に第３エネルギー定格に依存するステップと、をさらに備える方法。
【００５４】
実施形態２２
第１ソーラーパネルが第１幅を有し、第２ソーラーパネルが第２幅を有し、第１及び第２幅が同じである、実施形態１、３から１１、及び１３から２１のいずれか１つに記載の一式の窓アセンブリ又は方法。
【００５５】
実施形態２３
第１ソーラーパネルが第１幅を有し、第２ソーラーパネルが第２幅を有し、第１及び第２幅が互いに異なる、実施形態１、３から１１、及び１３から２１のいずれか１つに記載の一式の窓アセンブリ又は方法。
【００５６】
実施形態２４
第１エネルギー貯蔵ユニットの第１長さと第２エネルギー貯蔵ユニットの第２長さが同じである、実施形態１、４から１１、及び１４から２３に記載の一式の窓アセンブリ又は方法。
【００５７】
実施形態２５
第１エネルギー貯蔵ユニットの第１長さと第２エネルギー貯蔵ユニットの第２長さが互いに異なる、実施形態１、４から１１、及び１４から２３に記載の一式の窓アセンブリ又は方法。
【００５８】
実施形態２６
第１エネルギー貯蔵ユニットが第１幅を有し、第２エネルギー貯蔵ユニットが第２幅を有し、第１エネルギー貯蔵ユニットの第１幅と第２エネルギー貯蔵ユニットの第２幅が同じである、実施形態２から１０、及び１２から２５のいずれか１つに記載の一式の窓アセンブリ又は方法。
【００５９】
実施形態２７
第１エネルギー貯蔵ユニットが第１幅を有し、第２エネルギー貯蔵ユニットが第２幅を有し、第１エネルギー貯蔵ユニットの第１幅と第２エネルギー貯蔵ユニットの第２幅が互いに異なる、実施形態２から１０、及び１２から２５のいずれか１つに記載の一式の窓アセンブリ又は方法。
【００６０】
実施形態２８
第１トリムパネルの第１長さが、第２トリムパネルの第２長さとは異なる、実施形態４から１０、及び１４から２７のいずれか１つに記載の一式の窓アセンブリ又は方法。
【００６１】
実施形態 ２９
第１ガラスユニットが第１断熱ガラスユニットであり、第２ガラスユニットが第２段熱ガラスユニットである、先行する実施形態のいずれか１つに記載の一式の窓アセンブリ又は方法。
【００６２】
実施形態３０
第１及び第２ガラスユニットがそれぞれ、電気化学システムを含む、実施形態２９に記載の一式の窓アセンブリ又は方法。
【００６３】
実施形態３１
第３ガラスユニットが第３断熱ガラスユニットである、実施形態６から１０、及び１７から３０のいずれか１つに記載の一式の窓アセンブリ又は方法。
【００６４】
実施形態３２
第３ガラスユニットが電気化学システムを含む、実施形態３１に記載の一式の窓アセンブリ又は方法。
【００６５】
実施形態３３
電気化学システムがエレクトロクロミック装置を含む、実施形態２５から３２のいずれか１つに記載の一式の窓アセンブリ又は方法。
【００６６】
実施形態３４
第１、第２、及び第３寸法が互いに異なり、
第３ソーラーパネルの第３長さと第１ソーラーパネルの第１長さが互いに異なる、実施形態７から１０、及び１７から３３のいずれか１つに記載の一式の窓アセンブリ又は方法。
【００６７】
実施形態３５
第３ソーラーパネルが第３幅を有し、第３ソーラーパネルの第３幅が、第１ソーラーパネルの第１幅、第２ソーラーパネルの第２幅、あるいは両方と同じである、  実施形態２２から３４のいずれか１つに記載の一式の窓アセンブリ又は方法。
【００６８】
実施形態３６
第３ソーラーパネルが第３幅を有し、第３ソーラーパネルの第３幅が、第１ソーラーパネルの第１幅又は第２ソーラーパネルの第２幅、あるいは両方と互いに異なる、実施形態２２から３０のいずれか１つに記載の一式の窓アセンブリ又は方法。
【００６９】
実施形態３７
第３エネルギー貯蔵ユニットの第３長さが、第１エネルギー貯蔵ユニットの第１長さ、又は第２エネルギー貯蔵ユニットの第２長さ、又は両方と同じである、実施形態８から１０、及び１８から３６のいずれか１つに記載の一式の窓アセンブリ又は方法。
【００７０】
実施形態３８
第３エネルギー貯蔵ユニットの第３長さが、第１エネルギー貯蔵ユニットの第１長さ、又は第２エネルギー貯蔵ユニットの第２長さ、あるいは両方とは異なる、
実施形態８から１０、及び１８から３６のいずれか１つに記載の一式の窓アセンブリ又は方法。
【００７１】
実施形態３９
第３エネルギー貯蔵ユニットが第３幅を有し、第３エネルギー貯蔵ユニットの第３幅が、第１エネルギー貯蔵ユニットの第１幅、又は第２エネルギー貯蔵ユニットの第２幅、あるいは両方と同じである、実施形態３７又は３８のいずれか１つに記載の一式の窓アセンブリ又は方法。
【００７２】
実施形態４０
第３エネルギー貯蔵ユニットが第３幅を有し、第３エネルギー貯蔵ユニットの第３幅が、第１エネルギー貯蔵ユニットの第１幅、又は第２エネルギー貯蔵ユニットの第２幅、あるいは両方と異なる、実施形態３７又は３８のいずれか１つに記載の一式の窓アセンブリ又は方法。
【００７３】
実施形態４１
第３トリムパネルの第３長さが、第１トリムパネルの第１長さ、又は第２トリムパネルの第２長さ、あるいは両方と同じである、実施形態９、１０、及び１９から４０のいずれか１つに記載の一式の窓アセンブリ又は方法。
【００７４】
実施形態４２
第３トリムパネルの第３長さが、第１トリムパネルの第１長さ、又は第２トリムパネルの第２長さ、あるいは両方と異なる、実施形態９、１０、及び１９から４０のいずれか１つに記載の一式の窓アセンブリ又は方法。
【００７５】
実施形態４３
第３トリムパネルが、第１トリムパネルの第１長さ、又は第２トリムパネルの第２長さ、あるいは両方と同じ第３幅を有する、実施形態９、１０、及び１９から４２のいずれか１つに記載の一式の窓アセンブリ又は方法。
【００７６】
実施形態４４
第３トリムパネルが、第１トリムパネルの第１長さ、又は第２トリムパネルの第２長さ、あるいは両方と異なる第３幅を有する、実施形態９、１０、及び１９から４２のいずれか１つに記載の一式の窓アセンブリ又は方法。
【００７７】
一般的な記載または実施形態に記載した行為の全てが必要とされるわけではなく、特定の行為の一部は必要とされない場合があること、及び記載された行為に加えて１つまたは複数のさらなる行為がなされる可能性があることに留意されたい。さらに、行為を列挙する順序は、必ずしも、それらが実施される順序ではない。
【００７８】
明確にするために別個の実施形態との関連で本明細書で記載された特定の特徴はまた、単一の実施形態で組み合わせて与えられ得る。逆に、簡潔にするため単一の実施形態との関連で記載された様々な特徴は、別々に、又は任意のサブコンビネーションで提供することもできる。さらに、範囲内で記述された値への言及は、その範囲内の値がそれぞれすべて含まれる。
【００７９】
利益、他の利点、及び問題の解決策が、特定の実施形態に関して上述されている。しかしながら、利益、利点、問題の解決策、及びあらゆる特徴は、あらゆる利益、利点、または解決策を生じさせ、またはより明確にさせるかもしれないが、請求項のいずれか又は全ての、重大な、要求された、又は本質的な特徴として解釈されるべきではない。
【００８０】
本明細書に記載された実施形態の仕様及び図は、様々な実施形態の構造の一般的な理解を与えることを意図される。仕様及び図は、本明細書に記載された構造又は方法を使用する装置及びシステムの要素や特徴の全ての、網羅的及び包括的な記載として供されることを意図されない。別個の実施形態は、単一の実施形態で組み合わせて提供することもでき、逆に、簡潔にするために単一の実施形態に照らして説明されている様々な特徴は、別々に、又は任意のサブコンビネーションで提供することもできる。さらに、範囲内で記述された値への言及は、その範囲内の値がそれぞれすべて含まれる。本明細書を読んだ後のみ、その他多くの実施形態が、当業者には明白となり得る。他の実施形態は、構造的置換、論理的置換、又は別の変更が開示の範囲から逸脱することなくなされ得るように、使用され、開示から導かれ得る。したがって、本開示は、限定的なものではなく例示的なものとして見なされるべきである。
【図１】
0006505864.tif 000002
【図２】
0006505864.tif 000003
【図３】
0006505864.tif 000004
【図４】
0006505864.tif 000005
【図５】
0006505864.tif 000006
【図６】
0006505864.tif 000007
【図７】
0006505864.tif 000008
【図８】
0006505864.tif 000009
【図９】
0006505864.tif 000010
【図１０】
0006505864.tif 000011
【図１１】
0006505864.tif 000012
【図１２】
0006505864.tif 000013